(57)【要約】【解決手段】磁力発生部４を設けた固定部１と、回転円形刃１８を回転させる電動モ−タを設けた操作部７とを備えている。磁力発生部４の磁力吸着面４ａを含む支持面に対する内側で固定部１と操作部７とを支持面に沿って互いに並べるとともに、固定部１に対し操作部７を支持面に沿って回動可能に支持し、回転円形刃１８を支持面よりも内側に配設している。【効果】垂直な壁面に溶接した吊りピースを切断する場合、壁面に対し固定部１を磁力吸着面４ａで固定した状態で、操作部７を固定部１に対し回動させると、壁面に沿って回動する回転円形刃１８により吊りピースを切断する。その際、吊りピースに対する回転円形刃１８の切断抵抗などが生じたとしても操作部７が一定の軌道を描いて回動するため、切断動作が安定する。また、操作部７を固定部１が支えるため、操作部７を回動させ易い。従って、吊りピースなどの切断作業を容易にする。【選択図】図３
2008036773.tif 000002
【特許請求の範囲】
【請求項１】
磁力吸着面を有する磁力発生部を設けた固定部と、回転円形刃を回転させる回転駆動部を設けた操作部とを備え、その磁力吸着面を含む支持面を挟む内外両側のうちその支持面に対する内側でこの固定部と操作部とを支持面に沿って互いに並べるとともに、この固定部に対し操作部をその支持面に沿って回動可能に支持し、その回転円形刃をその支持面よりも内側またはその支持面上に配設したことを特徴とする切断装置。
【請求項２】
前記回転円形刃の回転中心線は、前記磁力吸着面を含む支持面に対し直交していることを特徴とする請求項１に記載の切断装置。
【請求項３】
前記操作部は前記磁力吸着面を含む支持面上またはその支持面よりも内側に当接面を有する保護ケースを備え、前記回転円形刃はその保護ケース内に収容されてその保護ケースから操作部の回動方向へ突出した状態でその保護ケースに対し回転可能に支持されていることを特徴とする請求項１または請求項２に記載の切断装置。
【請求項４】
前記保護ケースにおいて当接面を有する壁部に切欠凹部を形成し、前記回転円形刃は、この切欠凹部に対し回転中心線の方向で面し、この切欠凹部に入り込むとともにこの切欠凹部から操作部の回動方向へ突出する状態を取り得ることを特徴とする請求項３に記載の切断装置。
【請求項５】
前記保護ケースは前記回転円形刃に対しその回転中心線の方向で並んだ状態で操作部の回動中心線と回転円形刃の回転中心線との間で回動可能に支持した保護カバーを備え、この保護カバーは、回転円形刃の外周刃よりも外側に突出するように弾性体により付勢された突出状態と、回転円形刃の外周刃よりも内側に弾性体の付勢力に抗して入り込む退避状態とを取ることを特徴とする請求項３または請求項４に記載の切断装置。
【発明の詳細な説明】
【技術分野】
【０００１】
本発明は、建築鋼材等を吊り下げるために建築鋼材等に溶接された吊りピースなどを建築鋼材等の取り付け後に建築鋼材等から切断する場合に利用される切断装置に関するものである。
【背景技術】
【０００２】
従来、下記特許文献１にかかる切断装置においては、当接面を有する保護ケースが回転駆動部に取着され、その回転駆動部に取り付けられた回転円形刃がこの保護ケース内に収容されてその保護ケースから突出した状態でその保護ケースに対し回転可能に支持され、保護カバーがこの回転円形刃に対しその回転中心線の方向で並んだ状態でこの保護ケースに対し平行移動可能に支持されている。この保護カバーは、回転円形刃の外周刃よりも外側に突出するように弾性体により付勢された突出状態と、回転円形刃の外周刃よりも内側に弾性体の付勢力に抗して入り込む退避状態とを取る。例えば、建築鋼材等の壁面に溶接された吊りピースをこの切断装置により切断する場合に、切断装置の全体を把持柄で支えながら、保護ケースの当接面を壁面に当てがった状態で保護ケースを壁面に沿って回転駆動部とともに移動させると、保護カバーが突出状態から吊りピースに当って退避状態となり、回転円形刃が保護カバーの外側へ突出して吊りピースを切断する。
【特許文献１】意匠登録第１２２３７４６号公報
【発明の開示】
【発明が解決しようとする課題】
【０００３】
しかし、上記特許文献１にかかる切断装置の全体を把持柄で支えながら壁面に沿って移動させるため、吊りピースに対する回転円形刃の切断抵抗などが原因して切断装置が壁面に沿って振れるおそれがあり、切断動作が不安定になるとともに、特に壁面が垂直な場合には把持柄を持った作業者の腕のみにより切断装置の全体を支える必要があった。従って、切断作業が行いにくくなる問題があった。
【０００４】
この発明は、吊りピースなどを切断する場合に利用される切断装置において切断作業を容易にすることを目的としている。
【課題を解決するための手段】
【０００５】
後記実施形態の図面（図１〜５）の符号を援用して本発明を説明する。
請求項１の発明にかかる切断装置は、下記のように構成されている。
この切断装置は、磁力吸着面４ａを有する磁力発生部４を設けた固定部１と、回転円形刃１８を回転させる回転駆動部１０を設けた操作部７とを備えている。その磁力吸着面４ａを含む支持面Ｆを挟む内外両側のうちその支持面Ｆに対する内側でこの固定部１と操作部７とを支持面Ｆに沿って互いに並べるとともに、この固定部１に対し操作部７をその支持面Ｆに沿って回動可能に支持し、その回転円形刃１８をその支持面Ｆよりも内側またはその支持面Ｆ上に配設している。
【０００６】
請求項１の発明では、例えば垂直な壁面５に溶接した吊りピース６を切断する場合、その壁面５に対し固定部１を磁力吸着面４ａで固定した状態で、その操作部７を固定部１に対し回動させると、その壁面５に沿って回動する回転円形刃１８により吊りピース６を切断することができる。その際、吊りピース６に対する回転円形刃１８の切断抵抗などが生じたとしても操作部７が一定の軌道を描いて回動するため、切断動作が安定する。また、操作部７を固定部１が支えるため、操作部７を回動させ易い。
【０００７】
請求項１の発明を前提とする請求項２の発明において、前記回転円形刃１８の回転中心線１８ａは、前記磁力吸着面４ａを含む支持面Ｆに対し直交している。請求項２の発明では、回転円形刃１８を壁面５に沿って回転させることができるため、吊りピース６を壁面５に沿って切断することができる。
【０００８】
請求項１または請求項２の発明を前提とする請求項３の発明において、前記操作部７は前記磁力吸着面４ａを含む支持面Ｆ上またはその支持面Ｆよりも内側に当接面１６，２５ａを有する保護ケース１１を備え、前記回転円形刃１８はその保護ケース１１内に収容されてその保護ケース１１から操作部７の回動方向Ｘへ突出した状態でその保護ケース１１に対し回転可能に支持されている。請求項３の発明では、操作部７を回動させる際に保護ケース１１の当接面１６，２５ａが壁面５に沿って回動するため、操作部７が壁面５に対し保護ケース１１の当接面１６，２５ａで支えられ、操作部７を安定して回動させることができる。
【０００９】
請求項３の発明を前提とする請求項４の発明にかかる保護ケース１１において、当接面１６，２５ａを有する壁部１４ｂに切欠凹部１５を形成し、前記回転円形刃１８は、この切欠凹部１５に対し回転中心線１８ａの方向で面し、この切欠凹部１５に入り込むとともにこの切欠凹部１５から操作部７の回動方向Ｘへ突出する状態を取り得る。請求項４の発明では、回転円形刃１８が切欠凹部１５に入り込んで当接面１６，２５ａに近い位置で吊りピース６を切断することができるため、吊りピース６の切断残部の肉厚を薄くすることができる。
【００１０】
請求項３または請求項４の発明を前提とする請求項５の発明において、前記保護ケース１１は前記回転円形刃１８に対しその回転中心線１８ａの方向で並んだ状態で操作部７の回動中心線９ａと回転円形刃１８の回転中心線１８ａとの間で回動可能に支持した保護カバー２０を備え、この保護カバー２０は、回転円形刃１８の外周刃１９よりも外側に突出するように弾性体２２により付勢された突出状態Ｐと、回転円形刃１８の外周刃１９よりも内側に弾性体２２の付勢力に抗して入り込む退避状態とを取る。請求項５の発明では、操作部７の回動に伴い吊りピース６に当る保護カバー２０を突出状態Ｐと退避状態との間で円滑に回動させることができる。
【発明の効果】
【００１１】
本発明は、吊りピース６などを切断する場合に利用される切断装置において切断作業を容易にすることができる。
【発明を実施するための最良の形態】
【００１２】
以下、本発明の一実施形態にかかる切断装置について図１〜５を参照して説明する。
この切断装置の固定部１において、把持柄３が取着されたブラケット２には平坦な磁力吸着面４ａを有する磁力発生部としての電磁石４が取着されている。建築鋼材等の平坦な壁面５には吊りピース６が溶接部６ａで固定されている。この固定部１はこの壁面５に対し磁力吸着面４ａで固定される。この磁力吸着面４ａを含む支持面Ｆは壁面５上にある。この切断装置の操作部７は、この支持面Ｆを挟む内外両側のうちその支持面Ｆに対する内側で前記固定部１に対しその下方で並設されている。この操作部７においては、固定部１のブラケット２に対し腕８が軸９により支持面Ｆに沿って回動可能に支持されて固定部１から吊下され、この腕８には回転駆動部としての電動モータ１０と保護ケース１１と把持柄１２とが取着されている。この把持柄１２は、電動モータ１０を入り切りする駆動スイッチ１３を有し、この電動モータ１０及び保護ケース１１よりも下方で腕８の下端部に取着されている。
【００１３】
前記保護ケース１１において、ケース本体１４は前壁部１４ａと後壁部１４ｂと上壁部１４ｃと下壁部１４ｄと右壁部１４ｅとを有し、このケース本体１４の左側が開口部１４ｆで開放されている。この上壁部１４ｃと下壁部１４ｄにおいて開口部１４ｆ側の端縁部と後壁部１４ｂとの間の隅部には面取り部１４ｇが形成されている。この後壁部１４ｂには半円弧状の内縁部１５ａを有する切欠凹部１５が形成されて開口部１４ｆに開放されている。この後壁部１４ｂで壁面５に面する当接面１６は前記磁力吸着面４ａを含む支持面Ｆ上またはその支持面Ｆよりも極僅か内側にある。
【００１４】
前記電動モータ１０の出力軸１７はこの前壁部１４ａからケース本体１４内に挿入され、この出力軸１７にはケース本体１４内で回転円形刃１８が取り付けられて収容されている。この回転円形刃１８の外周刃１９はケース本体１４の開口部１４ｆから操作部７の回動方向Ｘへ突出している。この回転円形刃１８の回転中心線１８ａは前記磁力吸着面４ａを含む支持面Ｆに対し直交し、この回転円形刃１８は前記後壁部１４ｂの切欠凹部１５に対し回転中心線１８ａの方向で面している。前記出力軸１７で図示しないスペーサを交換して回転円形刃１８を回転中心線１８ａの方向で移動調節することにより、前記磁力吸着面４ａを含む支持面Ｆに対する回転円形刃１８の間隔Ｇを変更することができる。例えば、回転円形刃１８を切欠凹部１５内に入り込ませてその外周刃１９を切欠凹部１５の内縁部１５ａに面して沿わせれば、この間隔Ｇを小さくすることができる。
【００１５】
前記保護ケース１１においては、保護カバー２０の基端部２１がケース本体１４内に嵌め込まれて操作部７の回動中心線９ａと回転円形刃１８の回転中心線１８ａとの間の回動中心線２０ａを中心に操作部７の回動方向Ｘへ回動可能に支持され、この保護カバー２０がケース本体１４の外側へ開口部１４ｆから突出して回転円形刃１８の外周刃１９に対しその回転中心線１８ａの方向へ並んでその外周刃１９に沿う。この保護カバー２０の基端部２１には弾性体としてのねじりコイルばね２２が取り付けられ、そのねじりコイルばね２２の弾性力によりこの保護カバー２０が付勢されて回転円形刃１８の外周刃１９よりも外側に突出する突出状態Ｐとなる。この保護カバー２０はねじりコイルばね２２の弾性力に抗して押されて回転円形刃１８の外周刃１９よりも内側に入り込む退避状態（図示せず）を取る。
【００１６】
さて、垂直な壁面５に溶接した吊りピース６を切断する場合、まず、図１（ａ）及び図３に示すように、その吊りピース６の上方でその壁面５に対し固定部１を磁力吸着面４ａで固定した後、操作部７を吊りピース６から離す向きへ固定部１に対し回動させる。次に、図１（ｂ）及び図４に示すように、回転円形刃１８を回転させた状態で操作部７を吊りピース６に向けて固定部１に対し回動させると、保護カバー２０が突出状態Ｐから吊りピース６に当って退避状態となり、回転円形刃１８が保護カバー２０の外側へ突出して吊りピース６の右側を切断する。その際、壁面５には図２に示す吊りピース６の溶接部６ａが切断残部６ｂとして残る。その切断残部６ｂの肉厚は前述した支持面Ｆに対する回転円形刃１８の間隔Ｇで決まる。
【００１７】
一方、図５に示すように電磁石４にスペーサ２３を嵌め込んで磁力吸着面４ａを壁面５側へ突出させるとともに、図３，４に示すように前記ケース本体１４の後壁部１４ｂの四隅部に形成された雌ねじ孔２４を利用して当接台２５を図５に示すように螺着し、この各当接台２５にはこの磁力吸着面４ａを含む支持面Ｆ上またはその支持面Ｆよりも極僅か内側に当接面２５ａを設ける。そのため、この支持面Ｆに対する回転円形刃１８の間隔Ｇは大きくなり、前記切断残部６ｂの肉厚もその間隔Ｇに合わせて大きくなる。
【００１８】
本実施形態は下記の効果を有する。
＊  吊りピース６などを切断する際にその切断作業を容易にすることができる。
＊  操作部７が一定の軌道を描いて回動するため、切断動作を安定させることができる。また、操作部７を固定部１が支えるため、操作部７を回動させ易い。
【００１９】
＊  回転円形刃１８が壁面５に沿って回転するため、吊りピース６を壁面５に沿って切断することができる。
＊  操作部７が壁面５に対し保護ケース１１の当接面１６，２５ａで支えられ、操作部７を安定して回動させることができる。
【００２０】
＊  回転円形刃１８が切欠凹部１５に入り込んで当接面１６，２５ａに近い位置で吊りピース６を切断するため、吊りピース６の切断残部の肉厚を薄くすることができる。
＊  操作部７の回動に伴い吊りピース６に当る保護カバー２０を突出状態Ｐと退避状態との間で円滑に回動させることができる。
【００２１】
なお、図示しないが、保護ケース１１のケース本体１４の右側にも開口部を設けてその開口部から回転円形刃１８を操作部７の回動方向Ｘへ突出させれば、吊りピースをその左右両側から切断することができる。
【図面の簡単な説明】
【００２２】
【図１】（ａ）は本実施形態にかかる切断装置において切断前の待機状態を示す正面図であり、（ｂ）は同じく切断直後の状態を示す正面図である。
【図２】図１の切断装置において切断直前の状態を示す左側面図である。
【図３】図１（ａ）の背面図である。
【図４】図１（ｂ）の背面図である。
【図５】図１の切断装置の別例において切断直前の状態を示す左側面図である。
【符号の説明】
【００２３】
１…固定部、４…磁力発生部としての電磁石、４ａ…磁力吸着面、６…吊りピース、７…操作部、９ａ…操作部の回動中心線、１０…回転駆動部としての電動モータ、１１…保護ケース、１４…ケース本体、１４ｂ…ケース本体の後壁部、１５…後壁部の切欠凹部、１６，２５ａ…当接面、１８…回転円形刃、１８ａ…回転円形刃の回転中心線、１９…外周刃、２０…保護ケースの保護カバー、２２…弾性体としてのねじりコイルばね、Ｆ…磁力吸着面を含む支持面、Ｘ…操作部の回動方向、Ｐ…保護カバーの突出状態。
【図１】
2008036773.tif 000003
【図２】
2008036773.tif 000004
【図３】
2008036773.tif 000005
【図４】
2008036773.tif 000006
【図５】
2008036773.tif 000007